(57)【要約】      （修正有）【課題】機械的刺激と電気的刺激を選択的に与えることと同時に与えることを両立できる美容機器を提供すること。【解決手段】本体部１０と、本体部の上部に設けられたプレート１４と、本体部の上部に設けられており、プレートを挟んで対向配置された一対の電極１６、１８と、本体部に内蔵されておりプレートを振動させる振動供給部と、本体部に内蔵されており一対の電極に電気信号を供給する信号供給部と、を含み、プレートは、少なくともその上部が本体部第１の側へ偏った位置となるように配置されており、一対の電極は、少なくとも各々の上部が本体部の第１の側へ偏った位置となるように配置される第１の状態と、少なくとも当該各々の上部が本体部の第１の側と反対の第２の側に偏った位置となるように配置される第２の状態とを切り替え可能に構成されている、美容機器である。【選択図】図１
2020182711.tif 000002
【特許請求の範囲】
【請求項１】
本体部と、
前記本体部の上部に設けられたプレートと、
前記本体部の上部に設けられており、前記プレートを挟んで対向配置された一対の電極と、
前記本体部に内蔵されており前記プレートを振動させる振動供給部と、
前記本体部に内蔵されており前記一対の電極に電気信号を供給する信号供給部と、
を含み、
前記プレートは、少なくともその上部が前記本体部の第１の側へ偏った位置となるように配置されており、
前記一対の電極は、少なくとも各々の上部が前記本体部の前記第１の側へ偏った位置となるように配置される第１の状態と、少なくとも当該各々の上部が前記本体部の前記第１の側と反対の第２の側に偏った位置となるように配置される第２の状態とを切り替え可能に構成されている、
美容機器。
【請求項２】
前記一対の電極は、各々、前記本体部内に配置される軸部を有しており、当該軸部を中心に回転することにより前記第１の状態と前記第２の状態を切り替え可能である、
請求項１に記載の美容機器。
【請求項３】
前記一対の電極は、各々、１８０°以内の範囲で回転可能である、
請求項２に記載の美容機器。
【請求項４】
前記一対の電極は、各々の前記上部の位置が前記第１の状態及び前記第２の状態の各々における当該位置よりも前記プレートから遠い側を通るように回転可能である、
請求項２又は３に記載の美容機器。
【請求項５】
前記一対の電極は、各々、前記本体部の上部から起立する第１部位と、当該第１部位に繋がっており前記第１の側又は前記第２の側へ偏って配置される第２部位とを有する、
請求項１〜４の何れか１項に記載の美容機器。
【請求項６】
前記本体部に設けられた操作部と、
前記操作を用いた入力に応じて、前記振動供給部と前記信号供給部の何れか一方のみを動作させる制御又は前記振動供給部と前記信号供給部の両方を同時に動作させる制御を行う制御部と、
を更に含む、
請求項１〜５の何れか１項に記載の美容機器。
【発明の詳細な説明】
【技術分野】
【０００１】
本発明は、例えば顔面の美容に用いられる美容機器に関する。
【背景技術】
【０００２】
従来から、超音波振動などの機械的刺激（物理的刺激）を与えて顔面における毛穴等の汚れを除去する作用や、電気的刺激を与えて顔面の筋肉をほぐして血行を促進し新陳代謝を高める作用を奏する美容機器（美顔器）が知られている（例えば、特許文献１参照）。
【０００３】
ところで、上記のような美容機器において、機械的刺激と電気的刺激を選択的に与えることと同時に与えることを両立できる機器を実現することは難しかった。特に、コンパクトな機器で上記のような要望を実現することが難しかった。
【先行技術文献】
【特許文献】
【０００４】
【特許文献１】特開２０１３−１１６２７１号公報
【発明の概要】
【発明が解決しようとする課題】
【０００５】
本発明に係る具体的態様は、機械的刺激と電気的刺激を選択的に与えることと同時に与えることを両立できる美容機器を提供することを目的の１つとする。
【課題を解決するための手段】
【０００６】
本発明に係る一態様の美容機器は、（ａ）本体部と、（ｂ）前記本体部の上部に設けられたプレートと、（ｃ）前記本体部の上部に設けられており、前記プレートを挟んで対向配置された一対の電極と、（ｄ）前記本体部に内蔵されており前記プレートを振動させる振動供給部と、（ｅ）前記本体部に内蔵されており前記一対の電極に電気信号を供給する信号供給部と、を含み、（ｆ）前記プレートは、少なくともその上部が前記本体部の第１の側へ偏った位置となるように配置されており、（ｇ）前記一対の電極は、少なくとも各々の上部が前記本体部の前記第１の側へ偏った位置となるように配置される第１の状態と、少なくとも当該各々の上部が前記本体部の前記第１の側と反対の第２の側に偏った位置となるように配置される第２の状態とを切り替え可能に構成されている、美容機器である。
【０００７】
上記構成によれば、機械的刺激と電気的刺激を選択的に与えることと同時に与えることを両立できる美容機器が得られる。
【図面の簡単な説明】
【０００８】
【図１】図１は、一実施形態の美顔器の構成を示す斜視図である。
【図２】図２は、プレートおよび一対の電極を拡大して示した平面図である。
【図３】図３は、美顔器の動作モードを説明するための図である。
【図４】図４は、美顔器の動作モードを説明するための図である。
【図５】図５は、美顔器の動作モードを説明するための図である。
【図６】図６は、各電極と本体部において各電極を支持する部分の詳細な構造を示す部分的な拡大断面図である。
【図７】図７は、軸支持部を下側から見た様子を示す部分的な拡大平面図である。
【図８】図８は、美顔器の駆動手段の構成例を示すブロック図である。
【発明を実施するための形態】
【０００９】
図１は、一実施形態の美顔器の構成を示す斜視図である。本実施形態の美顔器は、本体部１０と、この本体部１０の前側に設けられた操作部１２と、本体部１０の上側に設けられたプレート１４および一対の電極１６、１８を含んで構成されている。この美顔器は、本体部１０をユーザが手に持ち、プレート１４や一対の電極１６、１８を自身の顔面に接触させて用いるものである。
【００１０】
本体部１０は、ユーザが手に持つのに好適な幅、厚みを有しており、内部に電気回路などを収容している。本実施形態では、この本体部１０は、内部に水が浸入しないように防水加工が施されている。
【００１１】
操作部１２は、例えば図示のような押しボタンである。本実施形態の美顔器は、この操作部１２を押すことで動作モードを切り替えることが可能であり、かつ操作部１２を長押しすることで電源のオンオフを切り替えることが可能である。
【００１２】
プレート１４は、例えばステンレスなどの金属からなる平板状の部材であり、本体部１０の上部に起立するように設けられている。このプレート１４は、平板状の第１部位１４ａと、この第１部位１４ａに対して本体部１０の後側に偏るように傾けて設けられた平板状の第２部位１４ｂを有する。このプレート１４は、本体部１０の内部に設けられた駆動手段によって駆動されて超音波振動するものである。このプレート１４を超音波振動させた状態にし、水を付けた顔面に第２部位１４ｂの上部を接触させて顔面をなぞるようにすることで、顔面の毛穴等に詰まった汚れを除去することができ、また機械的刺激による血行促進等の効果を得ることができる。図示のように、プレート１４の第２部位１４ｂは、その上端側の中央部がいくぶん凹み、かつその両側が曲線状となるように形成されている。
【００１３】
一対の電極１６、１８は、例えばステンレスなどの金属からなる棒状の部材であり、本体部１０の上部に起立するようにして設けられている。各電極１６、１８は、それぞれ棒状の第１部位１６ａ、１８ａと、それら第１部位１６ａに対して本体部１０の後側に偏るように傾けて設けられた第２部位１６ｂ、１８ｂを有する。また、各電極１６、１８は、図示のように本体部１０の左右方向に離間し、プレート１４を挟んで対向配置されており、かつ各々の第１部位１６ａ、１８ａを回転させることにより第２部位１６ｂ、１８ｂの向き（傾き方向）を変化させることができるように設けられている。各電極１６、１８は、本体部１０の内部に設けられた駆動手段から供給される電気信号により電気的刺激を発生させるものである。これらの電極１６、１８の各第２部位１６ｂを顔面に当てることにより、顔面の筋肉等に電気的刺激を与えて血行促進等の効果を得ることができる。
【００１４】
図２は、プレートおよび一対の電極を拡大して示した平面図である。図示のように、プレート１４と一対の電極１６、１８は、それぞれの上端の高さがほぼ同じとなるように配置されている。具体的には、プレート１４と一対の電極１６、１８は、本体部１０の所定の基準位置（基準面）からそれぞれの上端までの長さである高さＬがほぼ同じとなるように構成されている。この高さＬは、一対の電極１６、１８の各第２部位１６ｂ、１８ｂの向きを変化させても一定である。
【００１５】
図３は、美顔器の動作モードを説明するための図である。図示のように、例えばプレート１４（あるいは本体部１０）の長手方向ａを基準として、プレート１４の第２部位１４ｂと各電極１６、１８の各第２部位１６ｂ、１８ｂが同じ側（本体部１０の後側）に傾くように各電極１６、１８を配置する。なお、ここでいう「同じ側に傾く」とは、プレート１４の第２部位１４ｂ、各電極１６、１８の各第２部位１６ｂ、１８ｂがともに長手方向ａに対して図中右側へ偏って傾いていることをいい、必ずしも長手方向ａとのなす角度が同じであることは要しない。美顔器を上記の状態として、プレート１４の第２部位１４ｂと各電極１６、１８の各第２部位１６ｂ、１８ｂをユーザの顔面１００に当てることで、プレート１４からの超音波振動による機械的刺激と、一対の電極１６、１８からの電気的刺激を同時に顔面１００へ与えることができる。
【００１６】
図４は、美顔器の動作モードを説明するための図である。図示のように、例えばプレート１４（あるいは本体部１０）の長手方向ａを基準として、プレート１４の第２部位１４ｂに対して各電極１６、１８の各第２部位１６ｂ、１８ｂが異なる側（本体部１０の前側）へ傾くように各電極１６、１８を配置する。具体的には、各電極１６、１８の向きを図１に示した状態から１８０°回転させることでこのような配置を実現できる。なお、ここでいう「異なる側に傾く」とは、例えばプレート１４の第２部位１４ｂが長手方向ａに対して図中右側（本体部１０の後側）へ傾き、各電極１６、１８の各第２部位１６ｂ、１８ｂが長手方向ａに対して図中左側（本体部１０の前側）へ傾いていることをいい、必ずしも長手方向ａとのなす角度が同じであることは要しない（以下においても同様）。美顔器を上記の状態として、プレート１４の第２部位１４ｂをユーザの顔面１００に当てた場合、各電極１６、１８の各第２部位１６ｂ、１８ｂがユーザの顔面１００に当たらないようにすることができるので、プレート１４からの超音波振動による物理的刺激のみを顔面１００へ与えることができる。
【００１７】
図５は、美顔器の動作モードを説明するための図である。上記と同様に、例えばプレート１４（あるいは本体部１０）の長手方向ａを基準として、プレート１４の第２部位１４ｂと各電極１６、１８の各第２部位１６ｂ、１８ｂが異なる側へ傾くように各電極１６、１８を配置する。具体的には、各電極１６、１８の向きが図１に示した状態から長手方向ａを対称軸として１８０°対象な位置となるように各電極１６、１８を回転させることでこのような配置を実現できる。ここでは、本体部１０の向きを前後（表裏）で入れ替えることで、プレート１４の第２部位１４ｂが長手方向ａに対して図中左側へ向き、各第２部位１６ｂ、１８ｂが長手方向ａに対して図中右側へ向いた状態となっている。美顔器を上記の状態として、一対の電極１６、１８の各第２部位１６ｂ、１８ｂをユーザの顔面１００に当てた場合、プレート１４の第２部位１４ｂがユーザの顔面１００に当たらないようにできるので、一対の電極１６、１８による電気的刺激のみを顔面１００へ与えることができる。
【００１８】
図６は、各電極と本体部において各電極を支持する部分の詳細な構造を示す部分的な拡大断面図である。ここでは電極１６について説明するが電極１８も同様の構造である。上記のように電極１６は、本体部１０から露出する部分において、棒状の第１部位１６ａと、顔面に接触させる部位となる第２部位１６ｂを有している。また、電極１６の先端側、具体的には第２部位１６ｂの表面のうち第１部位１６ａから最も遠い側の表面には平坦面１６ｃが設けられている。平坦面１６ｃは、図示のように本体部１０の上下方向（図中の上下方向）に対して斜交し、かつ本体部１０の上側から平面視した際に視認できるように上向きに配置されている。この平坦面１６ｃは、各電極１６、１８あるいはプレート１４を顔面１００に対してより好適な角度で当てるためのガイドとして機能するとともに、顔面１００に対して電気的刺激をより確実に与えることを可能とするものである。
【００１９】
軸体（軸部）２０は、第１部位１６ａおよび第２部位１６ｂと同じ金属からなる略円柱状の部分であり、下部において本体部１０に設けられた端子部１０ｃの凸部と接触して電気信号の供給を受けるものである。この軸体２０は、本体部１０の軸支持部１０ａに挿入されている。電極１６は、この軸体２０を中心軸として１８０°以内の範囲で回転可能に設けられている。詳細には、軸体２０は、電極１６の第２部位１６ｂがプレート１４と接触するのを防ぐために、第２部位１６ｂの位置がプレート１４から遠い側を通って移動するように設けられている（図１参照）。これにより、各電極１６、１８とプレート１４の間隙をより狭くすることができるので、美顔器のコンパクト化が図られる。
【００２０】
また、軸体２０は、径方向に突出した突起部２０ａと、その下側において径方向に窪んだ凹部２０ｂと、第１部位１６ａ側に設けられたフランジ部２０ｃを有する。突起部２０ａは、本体部１０の軸支持部１０ａの所定部位（詳細は後述）と当接させることにより軸体２０の回転範囲（回動範囲）を１８０°以内に制限するためのものである。凹部２０ｂは、軸体２０を軸支持部１０ａへ固定するためのワッシャー１０ｂを取り付けるためのものである。フランジ部２０ｃは、軸支持部１０ａの上部を覆い、この部分からの水や異物の侵入を抑制するためのものである。軸支持部１０ａにおけるフランジ部２０ｃの直下には、軸体２０を囲むようにして防水用のゴムパッキン１０ｄが設けられている。
【００２１】
図７は、軸支持部を下側から見た様子を示す部分的な拡大平面図である。図７（Ａ）〜図７（Ｃ）に示すように、本体部１０の軸支持部１０ａは、２カ所の位置決め部１０ｅと、貫通孔１０ｆを有する。貫通孔１０ｆは、平面視において略円形部分とこの略円形部分から図中右側へ広がった部分を有している。図７（Ａ）に示すように、美顔器の組み立て時には、貫通孔１０ｆの図中右側へ広がった部分を利用して軸体２０の突起部２０ａを軸支持部１０ａの内部へ挿入することができる。軸体２０を軸支持部１０ａへ挿入した後は、軸体２０は図中の時計回り、反時計回りのいずれへも回転自在になる。軸体２０を回転させると、突起部２０ａは、軸支持部１０ａのいずれかの位置決め部１０ｅと当接することにより、それ以上回転できない状態となる。これらの位置決め部１０ｅは、例えば周囲より突起した部分として設けられる。これにより、軸体２０は、一方の位置決め部１０ｅに当接した状態（図７（Ｂ）参照）と他方の位置決め部１０ｅに当接した状態（図７（Ｃ）参照）との間で回転可能となる。これにより、軸体２０の回転範囲、すなわち電極１６の回転範囲を略１８０°以内に制限することができる。
【００２２】
図８は、美顔器の駆動手段の構成例を示すブロック図である。美顔器の駆動手段は、制御部３０、モータ駆動部３２、モータ３４、パルス発生部３６を含んで構成されており、それぞれ本体部１０に内蔵されている。制御部３０は、例えばマイクロコンピュータを用いて構成されており、操作部１２からの入力を受けてモータ駆動部３２およびパルス発生部３６を制御する。モータ駆動部３２は、制御部３０の制御を受けてモータ３４を駆動する。モータ３４は、モータ駆動部３２に駆動されて超音波振動を発生させる。このモータ３４による超音波振動をプレート１４に与えることにより、プレート１４を介して機械的刺激を人体に与えることができる。パルス発生部３６は、制御部３０の制御を受けて、例えば周期的なパルスを有する電気信号であるパルス信号を発生させる。この電気信号を各電極１６、１８に与えることにより、電極１６、１８を介して人体に電気的刺激を与えることができる。なお、モータ駆動部３２とモータ３４が振動供給部に対応し、パルス発生部３６が信号供給部に対応する。
【００２３】
以上のような実施形態によれば、プレート１４による機械的刺激と一対の電極１６、１８による電気的刺激のいずれか一方を選択的に与えることと、両者を同時に与えることを両立できる美顔器が得られる。
【００２４】
なお、本発明は上記した実施形態の内容に限定されるものではなく、本発明の要旨の範囲内において種々に変形して実施をすることが可能である。例えば、上記した実施形態では美顔器に本発明を適用した例を示したが本発明の適用範囲はこれに限定されず、人体における他の一部分（例えば、腕、脚等）に用いられる美容機器に本発明を適用してもよい。
【００２５】
また、上記した実施形態では各電極１６、１８の回転範囲を略１８０°以内に制限する場合を例示していたが、必ずしも回転範囲を略１８０°に制限する必要はなく自由に回転範囲を設定することができる。また、回転範囲を制限するための構成についても上記した実施形態の構成（図７参照）に限定されない。
【００２６】
また、上記した実施形態では、プレート１４は２つの部位を有して屈曲した形状を有していたがプレート１４の形状はこれに限定されず、少なくとも上部の位置が本体部１０の後側（裏面側）へ偏った位置となるように配置されていれば如何なる形状であってもよい。同様に、各電極１６、１８は２つの部位を有して屈曲した形状を有していたが各電極１６、１８の形状はこれに限定されず、少なくとも上部の位置が本体部１０の後側（裏面側）、前側（表面側）のそれぞれに対して偏った位置となるように選択的に配置可能であれば如何なる形状であってもよい。
【００２７】
また、上記した実施形態ではプレート１４により人体に与える機械的刺激の一例として超音波振動を挙げていたが機械的刺激はこれに限定されない。同様に、各電極１６、１８から人体に与える電気的刺激を発生させるための電気信号の一例としてパルス信号を挙げていたが電気信号はこれに限定されない。
【符号の説明】
【００２８】
１０：本体部
１２：操作部
１４：プレート
１６、１８：電極
３０：制御部
３２：モータ駆動部
３４：モータ
３６：パルス発生部
【図１】
2020182711.tif 000003
【図２】
2020182711.tif 000004
【図３】
2020182711.tif 000005
【図４】
2020182711.tif 000006
【図５】
2020182711.tif 000007
【図６】
2020182711.tif 000008
【図７】
2020182711.tif 000009
【図８】
2020182711.tif 000010